(57)【要約】【課題】チャンネル数や外部機器が動的に変化しても、放送の種類やチャンネルの違いによる平均音量の違いに応じて、そのチャンネル音量をチャンネル選択時に自動的に補正する表示装置及び音量調整装置を提供する。【解決手段】音声処理部３は、平均音量が規格で定められている北米アナログケーブルテレビジョン放送信号が入力される入力端子が選択された場合に受信部２が出力する音声信号の出力レベルと、別の入力端子が選択された場合に受信部２が出力する音声信号の出力レベルと、に基づいて、別の入力端子が選択された場合に増幅して出力する音声信号の出力レベルを判断し、ここで判断した出力レベルになるように受信部２が出力した音声信号を増幅する。したがって、装置の構成を簡略化でき、時間帯によってチャンネルが動的に変化したり、放送局の増加に伴い新たなチャンネルが増えたりすることがあっても、自動的に音量を適正値に調整できる。【選択図】図１
2007214678.tif 000002
【特許請求の範囲】
【請求項１】
複数の入力端子を有し、選択されている入力端子から入力された信号を受信して、音声信号及び映像信号を出力する受信手段と、
前記受信手段が出力した音声信号を増幅して出力する音量調整手段と、を備え、
前記受信手段には、少なくともアナログケーブルテレビジョン放送信号が入力される入力端子が設けられている表示装置において、
前記音量調整手段は、
各入力端子に信号が入力されたことを検出する検出手段を備え、
前記アナログケーブルテレビジョン放送信号が入力される入力端子が選択されたときに前記受信手段が出力する音声信号の出力レベルと、別の入力端子が選択されたときに前記受信手段が出力する音声信号の出力レベルと、に基づいて、別の入力端子が選択された場合に増幅して出力する音声信号の出力レベルを判断し、ここで判断した出力レベルになるように前記受信手段が出力した音声信号を増幅し、
前記アナログケーブルテレビジョン放送信号が入力される入力端子とは別の放送信号が入力される入力端子が選択された場合には、前記アナログケーブルテレビジョン放送信号が入力される入力端子が選択されたときに前記受信手段が出力する音声信号の出力レベルと、別の放送信号が入力される入力端子が選択されたときに前記受信手段が出力するチャンネル毎の音声信号の出力レベルと、に基づいて、別の入力端子が選択された場合に増幅して出力する音声信号の出力レベルを判断し、ここで判断した出力レベルになるように前記受信手段が出力した音声信号を増幅する手段であることを特徴とする表示装置。
【請求項２】
複数の入力端子を有し、選択されている入力端子から入力された信号を受信し、音声信号を出力する受信手段と、
前記受信手段が出力した音声信号を増幅して出力する音量調整手段と、を備え、
前記受信手段には、少なくともアナログケーブルテレビジョン放送信号が入力される入力端子が設けられている放送受信装置において、
前記音量調整手段は、前記アナログケーブルテレビジョン放送信号が入力される入力端子が選択されたときに前記受信手段が出力する音声信号の出力レベルと、別の入力端子が選択されたときに前記受信手段が出力する音声信号の出力レベルと、に基づいて、別の入力端子が選択された場合に増幅して出力する音声信号の出力レベルを判断し、ここで判断した出力レベルになるように前記受信手段が出力した音声信号を増幅する手段であることを特徴とする放送受信装置。
【請求項３】
前記音量調整手段は、各入力端子に信号が入力されたことを検出する検出手段を備えた請求項２に記載の放送受信装置。
【請求項４】
前記音量調整手段は、前記アナログケーブルテレビジョン放送信号が入力される入力端子とは別の放送信号が入力される入力端子が選択された場合、前記アナログケーブルテレビジョン放送信号が入力される入力端子が選択されたときに前記受信手段が出力する音声信号の出力レベルと、別の放送信号が入力される入力端子が選択されたときに前記受信手段が出力するチャンネル毎の音声信号の出力レベルと、に基づいて、別の入力端子が選択された場合に増幅して出力する音声信号の出力レベルを判断し、ここで判断した出力レベルになるように前記受信手段が出力した音声信号を増幅する手段である請求項２または３に記載の放送受信装置。
【発明の詳細な説明】
【技術分野】
【０００１】
この発明は、表示装置及び放送受信装置における音声信号の音量制御に関する。
【背景技術】
【０００２】
ケーブルテレビジョンの普及に伴い、ユーザは、テレビジョン受像機やセットトップボックス等の放送受信装置を操作することで、地上波放送の複数チャンネルだけでなく、さらにケーブルテレビジョン放送（以下、ケーブル放送と称する。）の複数チャンネルの中から、所望のチャンネルを選択して番組を視聴することが可能となっている。また、近時、地上波放送（地上テレビジョン放送）やケーブル放送において、従来から有るアナログ放送に加えて、アナログ放送よりも高画質化・多チャンネル化が可能なディジタル放送が普及しつつあり、これらの放送も選択可能な放送受信装置が普及しつつある。また、放送受信装置では、ビデオやＤＶＤ等のＡＶ機器を接続して、これらのＡＶ機器に対応した外部入力チャンネルを選択することで、これらのＡＶ機器で再生したコンテンツを視聴できる。
【０００３】
従来、北米アナログ地上波放送においては、放送受信時の平均音量を、１ｋＨｚ・１００％変調のｓｉｎ波入力に対して、ライン出力で２８０ｍＶｒｍｓにすることが推奨されている。しかしながら、放送受信時の平均音量が規格として定められている訳ではないので、チャンネルにより平均音量が異なっている。一方、北米アナログケーブル放送においては、放送受信時の平均音量を、１ｋＨｚ・１００％変調のｓｉｎ波入力に対して、ライン出力で４２０ｍＶｒｍｓとするように規格で定められている。
【０００４】
一方、従来の北米ディジタルケーブル放送対応の放送受信装置は、北米アナログ地上波放送と北米アナログケーブル放送のいずれであるか、また北米アナログ地上波放送のどのチャンネルであるかを考慮して音量が設定されておらず、チャンネルにかかわらず出力が北米アナログケーブル放送の平均音量である４２０ｍＶｒｍｓとなるように設定されていた。そのため、この放送受信装置で北米アナログケーブル放送を受信した場合には適正な音量の音声が出力されるが、北米アナログ地上波放送を受信した場合、例えばそのチャンネルの平均音量が推奨値である２８０ｍＶｒｍｓに設定されていても、大きな音量の音声が出力されるという問題があった。
【０００５】
そこで、このような問題に対して、従来、放送局の音声変調度の違いなどによる、チャンネル間の音量差をチャンネル選択時に自動的に補正する音量調整装置に関する発明が開示されている（例えば、特許文献１参照。）。
【特許文献１】特開平７−２２２０７８号公報
【発明の開示】
【発明が解決しようとする課題】
【０００６】
特許文献１に記載の音量調整装置は、チャンネルに対応した調整データメモリのデータエリアから、調整データが読み出され、その調整データにしたがい自動的に音量調整が行われる。
【０００７】
しかしながら、アナログケーブル放送では、時間帯によってチャンネルが動的に変化したり、放送局の増加に伴い新たなチャンネルが増えたりすることがあり、調整データメモリに調整データの無いチャンネルを視聴する場合には、自動的に音量を適正値に調整できないという問題があった。
【０００８】
そこで、本発明は、チャンネル数や外部機器が動的に変化しても、放送の種類やチャンネルの違いによる平均音量の違いに応じて、そのチャンネル音量をチャンネル選択時に自動的に補正する表示装置及び音量調整装置を提供することを目的とする。
【課題を解決するための手段】
【０００９】
この発明は、上記の課題を解決するための手段として、以下の構成を備えている。
【００１０】
（１）複数の入力端子を有し、選択されている入力端子から入力された信号を受信し、音声信号を出力する受信手段と、
前記受信手段が出力した音声信号を増幅して出力する音量調整手段と、を備え、
前記受信手段には、少なくともアナログケーブルテレビジョン放送信号が入力される入力端子が設けられている放送受信装置において、
前記音量調整手段は、前記アナログケーブルテレビジョン放送信号が入力される入力端子が選択されたときに前記受信手段が出力する音声信号の出力レベルと、別の入力端子が選択されたときに前記受信手段が出力する音声信号の出力レベルと、に基づいて、別の入力端子が選択された場合に増幅して出力する音声信号の出力レベルを判断し、ここで判断した出力レベルになるように前記受信手段が出力した音声信号を増幅する手段であることを特徴とする。
【００１１】
北米のアナログケーブルテレビジョン放送においては、チャンネルにかかわらず、放送受信時の平均音量を、１ｋＨｚ・１００％変調のｓｉｎ波入力に対して、ライン出力で４２０ｍＶｒｍｓとするように規格で定められている。一方、北米のアナログ地上テレビジョン放送においては、放送受信時の平均音量を、１ｋＨｚ・１００％変調のｓｉｎ波入力に対して、ライン出力で２８０ｍＶｒｍｓにすることが推奨されているが、チャンネルにより平均音量が異なっている。また、放送受信装置に外部機器を接続して、その出力を外部入力チャンネルとして受信手段で受信する場合、外部機器によって、また外部機器で再生するコンテンツによって平均音量が異なっている。
【００１２】
この構成においては、放送受信装置は、アナログケーブルテレビジョン放送信号が入力される入力端子が選択されたときに受信手段が出力する音声信号の出力レベルと、別の入力端子が選択されたときに受信手段が出力する音声信号の出力レベルと、に基づいて、別の入力端子が選択された場合に増幅して出力する音声信号の出力レベルを判断し、ここで判断した出力レベルになるように受信手段が出力した音声信号を増幅する。したがって、チャンネル毎に設定された平均音量の値をメモリ等の記憶手段に記憶しておき、その値に基づいてアンプを調整する必要がないので、装置の構成を従来よりも簡略化して、適正に調整された音量の音声を再生することができる。また、時間帯によってチャンネルが動的に変化したり、放送局の増加に伴い新たなチャンネルが増えたりすることがあっても、自動的に音量を適正値に調整できる。さらに、放送受信装置に接続した外部機器の出力を受信するチャンネルが選択された場合でも、適正な音量の音声を放音させることができる。
【００１３】
（２）前記音量調整手段は、各入力端子に信号が入力されたことを検出する検出手段を備えたことを特徴とする。
【００１４】
この構成においては、各入力端子に音声信号が入力されたことを検出手段で検出する。したがって、音声信号が入力されているのが、アナログケーブルテレビジョン放送、アナログケーブルテレビジョン放送以外のいずれかの放送、または外部機器であるかを、検出手段により容易に把握することができ、音声信号の音量レベルを、その音声信号に設定された音量レベルに調整することができる。
【００１５】
（３）前記音量調整手段は、前記アナログケーブルテレビジョン放送信号が入力される入力端子とは別の放送信号が入力される入力端子が選択された場合、前記アナログケーブルテレビジョン放送信号が入力される入力端子が選択されたときに前記受信手段が出力する音声信号の出力レベルと、別の放送信号が入力される入力端子が選択されたときに前記受信手段が出力するチャンネル毎の音声信号の出力レベルと、に基づいて、別の入力端子が選択された場合に増幅して出力する音声信号の出力レベルを判断し、ここで判断した出力レベルになるように前記受信手段が出力した音声信号を増幅する手段であることを特徴とする。
【００１６】
この構成においては、放送受信装置は、アナログケーブルテレビジョン放送信号が入力される入力端子とは別の放送信号が入力される入力端子が選択された場合、アナログケーブルテレビジョン放送信号が入力される入力端子が選択されたときに受信手段が出力する音声信号の出力レベルと、別の放送信号が入力される入力端子が選択されたときに受信手段が出力するチャンネル毎の音声信号の出力レベルと、に基づいて、別の入力端子が選択された場合に増幅して出力する音声信号の出力レベルを判断し、ここで判断した出力レベルになるように前記受信手段が出力した音声信号を増幅する。したがって、アナログケーブルテレビジョン放送とは別の放送が選択されたときには、チャンネル毎に出力レベルを調整する。したがって、どのチャンネルを選択しても、適正に調整された音量の音声を再生することができる。
【発明の効果】
【００１７】
本発明によれば、装置の構成を従来よりも簡略化して、適正に調整された音量の音声を再生することができる。また、時間帯によってチャンネルが動的に変化したり、放送局の増加に伴い新たなチャンネルが増えたりすることがあっても、自動的に音量を適正値に調整できる。さらに、放送受信装置に接続した外部機器の出力を受信するチャンネルが選択された場合でも、適正な音量の音声を放音させることができる。
【発明を実施するための最良の形態】
【００１８】
図１は、放送受信装置の構成を示すブロック図である。放送受信装置１は、具体的には、北米ディジタルケーブルテレビジョン対応のセットトップボックス（Set Top Box:ＳＴＢ）やテレビジョン受像機である。図１には、放送受信装置１がテレビジョン受像機（表示装置）の場合の構成を示している。放送受信装置１は、受信部２、音声処理部３、スピーカ４、映像処理部５、モニタ（表示部）６、リモコン受信部７、リモートコントローラ（以下、リモコンと称する。）８、操作部９、及び制御部１０を備えている。
【００１９】
受信部２は、北米アナログ地上波放送のチューナ２−１、北米アナログケーブル放送のチューナ２−２、及び不図示の他の放送のチューナを備えている。また、受信部２は、アンテナ１１を介して受信した北米アナログ地上波放送、もしくはケーブル１２を介して受信した北米アナログケーブル放送の放送信号（映像信号及び音声信号）、または入力端子１３・１４に接続されたＤＶＤ再生装置１０１やビデオ再生装置１０２等の外部機器から入力されたコンテンツ信号（映像信号及び音声信号）から、リモコン８また操作部９で選択されたチャンネルに対応する放送信号またはコンテンツ信号を取り出して、その音声信号と映像信号を出力する。また、受信部２は、北米アナログケーブル放送の音声信号を常に音声処理部３へ出力している。
【００２０】
音声処理部３は、受信部２から出力された北米アナログケーブル放送の音声信号、北米アナログ地上波放送の音声信号、他の放送の音声信号、または入力端子１３・１４に接続されたＤＶＤ再生装置１０１やビデオ再生装置１０２等の外部機器から出力された音声信号を、選択されたチャンネルにかかわらず略一定（適正な値）となるように調整を行う。
【００２１】
スピーカ４は、音声処理部３から出力された音声信号を放音する。
【００２２】
映像処理部５は、受信部２から出力された北米アナログケーブル放送の映像信号、北米アナログ地上波放送の映像信号、他の放送の映像信号、または入力端子１３・１４に接続されたＤＶＤ再生装置１０１やビデオ再生装置１０２等の外部機器から出力された映像信号を、モニタ６に表示できるように処理して、モニタ６へ出力する。
【００２３】
モニタ６は、映像処理部５から出力された映像信号に応じた映像を表示する。
【００２４】
リモコン受信部７は、リモコン８から赤外線または電波で送信されてきたチャンネル切換信号等の制御信号を受信する。
【００２５】
リモコン８は、アップダウンキー等の複数の操作キーを備えており、操作キーの操作に応じてチャンネル切換信号等の制御信号を出力する。
【００２６】
操作部９は、リモコン８と同様に、チャンネルの切り換え操作を行うためのアップダウンキー等の複数の操作キーを備えており、操作キーの操作に応じてチャンネル切換信号等の制御信号を出力する。
【００２７】
制御部１０は、放送受信装置１の各部の動作を制御する。
【００２８】
次に、音声処理部３の詳細な構成について説明する。図２は、放送受信装置の音声処理部の概略構成を示すブロック図である。図２に示すように、音声処理部３は、北米アナログケーブル放送の音声信号を入力する入力端子２１、北米地上波放送の音声信号を入力する入力端子２２、ＤＶＤ再生装置１０１の音声信号を入力する入力端子２３、ビデオ再生装置１０２の音声信号を入力する入力端子２４を備えている。また、音声処理部３は、入力端子２１〜２４からそれぞれ音声信号が入力されたことを個別に検出する音声信号検出センサ２１Ａ〜２４Ａ、入力端子２１から入力された音声信号と他の入力端子２２〜２４から入力された音声信号とを比較する比較部２５、入力端子２１から入力された音声信号を増幅するアンプ２６、入力端子２２から入力された音声信号を増幅するゲイン可変アンプ２７、入力端子２３から入力された音声信号を増幅するゲイン可変アンプ２８、入力端子２４から入力された音声信号を増幅するゲイン可変アンプ２９、アンプ２６、入力端子２２〜２４と比較部２５との間の接続を切り替える切替器３０Ａ、ゲイン可変アンプ２７〜２９の各制御端子と比較部２５との間の接続を切り替える切替器３０Ｂ、アンプ２６及びゲイン可変アンプ２６〜２９とボリューム３１との接続を切り替える切替器３０Ｃ、及びスピーカ３２から放音させる音声の音量を調整するためのボリューム３１を備えている。なお、入力端子２１からは、北米アナログケーブル放送の音声信号が入力され、この音声信号の平均音量は規格で定められているので、アンプ２６はゲインが固定のものを使用しているが、ゲイン可変アンプを使用することも当然可能である。
【００２９】
ここで、切替器３０Ａ・３０Ｂ・３０Ｃは、連動して切り替えを行うように制御される。すなわち、ユーザがリモコン８にまたは操作部９において、北米アナログケーブル放送を視聴する操作を行うと、制御部１０はこの操作に応じて、切替器３０Ａが比較部２５の他方の入力を接地した状態に、切替器３０Ｂが比較部２５の出力をオープン状態に、切替器３０Ｃがアンプ２６とボリューム３１とを接続した状態に、それぞれ切り替える。また、ユーザが北米アナログ地上波放送を視聴する操作を行うと、制御部１０はこの操作に応じて、切替器３０Ａが比較部２５の他方の入力を入力端子２２に接続した状態に、切替器３０Ｂが比較部２５の出力をゲイン可変アンプ２７の制御端子に接続した状態に、切替器３０Ｃがゲイン可変アンプ２７とボリューム３１とを接続した状態に、それぞれ切り替える。さらに、ユーザがＤＶＤを視聴する操作を行うと、制御部１０はこの操作に応じて、切替器３０Ａが比較部２５の他方の入力を入力端子２３に接続した状態に、切替器３０Ｂが比較部２５の出力をゲイン可変アンプ２８の制御端子に接続した状態に、切替器３０Ｃがゲイン可変アンプ２８とボリューム３１とを接続した状態に、それぞれ切り替える。加えて、ユーザがビデオを視聴する操作を行うと、制御部１０はこの操作に応じて、切替器３０Ａが比較部２５の他方の入力を入力端子２４に接続した状態に、切替器３０Ｂが比較部２５の出力をゲイン可変アンプ２９の制御端子に接続した状態に、切替器３０Ｃがゲイン可変アンプ２９とボリューム３１とを接続した状態に、それぞれ切り替える。
【００３０】
次に、音声処理部３の概略の動作について説明する。放送受信装置１は、出力する音声の音量を受信した放送信号や入力されたコンテンツ信号に設定された平均音量で音声を放音させることで、音量を最適化して出力するものである。例えば、北米アナログケーブル放送の音声は、選択されたチャンネルにかかわらず平均音量が４２０ｍＶｒｍｓとなるように設定する。また、北米アナログ地上波放送の音声は、選択されたチャンネルに応じて平均音量を変更する。例えば選択されたチャンネルの平均音量が推奨値である２８０ｍＶｒｍｓに設定されている場合には、平均音量が２８０ｍＶｒｍｓとなるように設定し、別のチャンネルの平均音量が例えば３６０ｍＶｒｍｓに設定されている場合には、平均音量を３６０ｍＶｒｍｓに設定する。
【００３１】
ここで、背景技術において説明したように、北米アナログケーブル放送においては、選択されたチャンネルにかかわらず放送受信時の平均音量を、１ｋＨｚ・１００％変調のｓｉｎ波入力に対して、ライン出力で４２０ｍＶｒｍｓとするように規格で定められている。そこで、放送受信装置１では、北米アナログケーブル放送の音声信号の音量レベルを基準として、アンプの調整を行う。すなわち、北米アナログケーブル放送の音声信号の音量レベルと、選択されたチャンネルの音声信号の音量レベルと、を比較し、その差や比等の関係に基づいて制御部１０で所定の演算処理を行い、選択されたチャンネルの音声信号を増幅するゲイン可変アンプのゲインを調整する。
【００３２】
また、選択されたチャンネルの音声信号の音量レベルを平均音量に設定するために、北米アナログケーブル放送の音声信号の音量レベルと、選択されたチャンネルの音声信号の音量レベルと、の比較を、一定時間行ってから上記の処理を行うようにする。例えば、２つの音量レベルを１秒〜２秒程度測定することで、選択されたチャンネルの音声信号の音量レベルを適正なレベルに設定することができる。また、さらに長時間２つの音量レベルを測定することで、選択されたチャンネルの音声信号の音量レベルをより適正なレベルに設定することができる。
【００３３】
このようにすることで、従来の装置のように、チャンネル毎に設定された平均音量の値をメモリ等の記憶手段に記憶しておき、その値に基づいてアンプを調整する必要がないので、装置の構成を従来よりも簡略化できる。また、時間帯によってチャンネルが動的に変化したり、放送局の増加に伴い新たなチャンネルが増えたりすることがあっても、自動的に音量を適正値に調整できる。さらに、放送受信装置１に接続した外部機器の出力を受信するチャンネルが選択された場合でも、適正な音量の音声を放音させることができる。
【００３４】
続いて、音声処理部３の具体的な動作について説明する。図３は、音声処理部の動作を説明するためのフローチャートである。ユーザは、リモコン８または操作部９を操作して、所望のチャンネルを選択する。制御部１０は、ユーザによりチャンネル選択の操作があると（ｓ１）、選択されたチャンネルの放送信号またはコンテンツ信号が音声としてスピーカ４から出力されるように、切替器３０Ａ・３０Ｂ・３０Ｃを切り替える（ｓ２）。なお、制御部１０は、不図示のメモリで、入力端子から入力される放送信号及びコンテンツ信号と、各放送信号で受信するチャンネル番号やコンテンツ信号に割り当てたチャンネル番号と、をテーブルとして記憶しており、このテーブルを参照して、上記の処理を行う。
【００３５】
また、このとき、制御部１０は、ユーザが選択したチャンネルが北米アナログケーブル放送であるかを確認する（ｓ３）。制御部１０は、ユーザが選択したチャンネルが北米アナログケーブル放送のチャンネルである場合には、ゲイン可変アンプ２７〜２９の調整を行わずに、そのまま音声信号をスピーカ４から出力させて（ｓ４）、ステップｓ１の処理を行う。
【００３６】
一方、ステップｓ３において、制御部１０は、ユーザが選択したチャンネルが北米アナログケーブル放送のチャンネル以外のチャンネルである場合には、比較部２５に、北米アナログケーブル放送の音声信号と、選択されたチャンネルの音声信号と、の音量レベルを比較するように指示する（ｓ５）。
【００３７】
比較部２５は、制御部１０からの指示を受けると、北米アナログケーブル放送の音声信号と、選択されたチャンネルの音声信号と、の音量レベルを比較する（ｓ６）。そして、比較部２５は、この比較結果に応じて、選択されたチャンネルに設定された平均音量で音声を放音するように、ゲイン可変アンプを調整する制御信号を出力する（ｓ７）。これにより、放送受信装置１は、ユーザが選択したチャンネルに応じた適正な音量の音声をスピーカ４から出力して、ステップｓ１の処理を行う（ｓ８）。
【００３８】
上記の処理において、例えば、ユーザが選択したチャンネルが北米アナログ地上波放送のチャンネルであり、そのチャンネルの平均音量が２８０ｍＶｒｍｓに設定されており、また、比較部２５が北米アナログケーブル放送の音声信号と選択されたチャンネルの音声信号との音量レベルの差分を算出するように構成されている場合には、この差に基づいて、選択されたチャンネルの平均音量で音声を放音するように、ゲイン可変アンプ２７を調整する。
【００３９】
ここで、ゲイン可変アンプ２７の初期値として、１ｋＨｚ・１００％変調のｓｉｎ波入力に対して、ライン出力で２８０ｍＶｒｍｓの平均音量の音声を出力するように予め設定しておき、比較部２５の比較結果に応じてこの初期値を変更すると良い。前記のように、北米アナログ地上波放送の平均音量の推奨値が２８０ｍＶｒｍｓなので、その値に設定されている音声信号については、調整が不要となる。また、従来の装置で設定されていた平均音量である４２０ｍＶｒｍｓよりも小さい値が設定されるので、チャンネルにより音声信号の平均音量の設定値が異なる値であったとしても、大きな音がスピーカ４から放音されることがなく、ユーザを驚かせることを防止できる。
【００４０】
また、ＤＶＤ再生装置１０１やビデオ再生装置１０２等の外部機器の音声信号を調整するためのゲイン可変アンプ２８〜２９においても、その初期値として、１ｋＨｚ・１００％変調のｓｉｎ波入力に対して、ライン出力で２８０ｍＶｒｍｓ、またはそれよりも小さな平均音量の音声を出力するように予め設定しておき、前記のように２つの音量レベルを一定時間比較する間は、この音量レベルの音声を出力させる。そして、比較部２５の比較結果に応じてこの初期値を、平均音量に設定された最適なレベルに変更すると良い。これにより、外部機器のコンテンツを再生するチャンネルを選択した際に、突然大きな音がスピーカ４から放音されるのを防止できる。また、ユーザがそのチャンネルを選択すると、放送受信装置１が音量レベルの調整処理を行っている間には、小さな音声がスピーカ４から放音され、調整が完了すると直ちに適正な音量の音声が放音されるので、ユーザは装置が調整を行っていることを把握でき、装置に対して不信感をもつこともない。
【図面の簡単な説明】
【００４１】
【図１】放送受信装置の構成を示すブロック図である。
【図２】放送受信装置の音声処理部の概略構成を示すブロック図である。
【図３】音声処理部の動作を説明するためのフローチャートである。
【符号の説明】
【００４２】
１−放送受信装置    ２−受信部    ３−音声処理部    ４−スピーカ
５−映像処理部    ６−モニタ    ７−リモコン受信部    ８−リモコン
９−操作部    １０−制御部
【図１】
2007214678.tif 000003
【図２】
2007214678.tif 000004
【図３】
2007214678.tif 000005